(57)【要約】      （修正有）【課題】保護番線を効率よくブラケットに固定することができるエレベーターの保護番線固定具を提供する。【解決手段】エレベーターの保護番線固定具８は、エレベーターの保護番線７を保持する保持部９と、保持部９に連結し、エレベーターのブラケット２の一面に鋲１３で固定される固定部１０と、保持部９に連結し、ブラケット２の一面の反対側の他面の側において鋲１３の先端部を外部から遮蔽する遮蔽部と、を備えた。当該構成によれば、保護番線７を効率よくブラケット２に固定することができる。【選択図】図２
2018203435.tif 000002
【特許請求の範囲】
【請求項１】
エレベーターの保護番線を保持する保持部と、
前記保持部に連結し、前記エレベーターのブラケットの一面に鋲で固定される固定部と、
前記保持部に連結し、前記ブラケットの前記一面の反対側の他面の側において前記鋲の先端部を外部から遮蔽する遮蔽部と、
を備えたエレベーターの保護番線固定具。
【請求項２】
前記保持部は、前記保護番線が前記ブラケットの縁部の側に配置された際に前記ブラケットの縁部の側において前記保護番線を受け入れる溝を有し、
前記固定部は、前記保持部の一縁部に連結し、
前記遮蔽部は、前記保持部の他縁部に連結し、前記鋲の先端部をブラケットの他面の外側から遮蔽する請求項１に記載のエレベーターの保護番線固定具。
【請求項３】
前記保持部は、前記保護番線が前記ブラケットの前記一面の側に配置された際に前記ブラケットの前記一面の側において前記保護番線を受け入れる溝を有し、
前記固定部は、前記ブラケットの前記一面の側において前記保持部の前記ブラケットの中央の側に連結し、
前記遮蔽部は、前記ブラケットの前記一面の側において前記ブラケットの縁部の側に連結し、当該縁部の外側から前記ブラケットの前記他面の側に回り込み、前記鋲の先端部をブラケットの他面の外側から遮蔽する請求項１に記載のエレベーターの保護番線固定具。
【請求項４】
前記保持部は、前記保護番線が前記ブラケットの縁部の側に配置された際に前記ブラケットの前記縁部の側において前記保護番線を受け入れる溝を有し、
前記固定部は、前記ブラケットの前記一面の側かつ前記縁部の側において前記保持部の一端部の側に連結し、
前記遮蔽部は、前記ブラケットの前記他面の側かつ前記縁部の側において前記保持部の他端部の側に連結し、前記鋲の先端部をブラケットの他面の外側から遮蔽する請求項１に記載のエレベーターの保護番線固定具。
【発明の詳細な説明】
【技術分野】
【０００１】
この発明は、エレベーターの保護番線固定具に関する。
【背景技術】
【０００２】
特許文献１は、エレベーターの保護番線固定具を開示する。当該保護番線固定具によれば、保護番線は、バインド線取付穴に通されたバインド線により固定される。このため、保護番線をブラケットに確実に固定することができる。
【先行技術文献】
【特許文献】
【０００３】
【特許文献１】特開２０１１−１４８６１１号公報
【発明の概要】
【発明が解決しようとする課題】
【０００４】
しかしながら、特許文献１に記載の保護番線固定具においては、ボルトとナットとを用いてブラケットに固定される。このため、保護番線をブラケットに固定する際の効率が下がる。
【０００５】
この発明は、上述の課題を解決するためになされた。この発明の目的は、保護番線を効率よくブラケットに固定することができるエレベーターの保護番線固定具を提供することである。
【課題を解決するための手段】
【０００６】
この発明に係るエレベーターの保護番線固定具は、エレベーターの保護番線を保持する保持部と、前記保持部に連結し、前記エレベーターのブラケットの一面に鋲で固定される固定部と、前記保持部に連結し、前記ブラケットの前記一面の反対側の他面の側において前記鋲の先端部を外部から遮蔽する遮蔽部と、を備えた。
【発明の効果】
【０００７】
この発明によれば、保護番線固定具は、保護番線を保持した状態で鋲によりブラケットに固定される。このため、保護番線を効率よくブラケットに固定することができる。
【図面の簡単な説明】
【０００８】
【図１】この発明の実施の形態１におけるエレベーターの保護番線固定具が適用されるかご側ガイドレールの斜視図である。
【図２】の発明の実施の形態１におけるエレベーターの保護番線固定具による保護番線の固定状態をブラケットの前面の側から見た際の正面図である。
【図３】この発明の実施の形態１におけるエレベーターの保護番線固定具による保護番線の固定状態をブラケットの後面の側から見た際の正面図である。
【図４】この発明の実施の形態１におけるエレベーターの保護番線固定具による保護番線の固定状態をブラケットの下面の側から見た際の平面図である。
【図５】この発明の実施の形態１におけるエレベーターの保護番線固定具による保護番線の固定状態をブラケットの上面の側から見た際の平面図である。
【図６】この発明の実施の形態１におけるエレベーターの保護番線固定具による保護番線の固定状態をブラケットの上面の側から見た際の平面図である。
【図７】この発明の実施の形態１におけるエレベーターの保護番線固定具による保護番線の固定状態をブラケットの下面の側から見た際の平面図である。
【図８】図２のＡ−Ａ線における断面において鋲が打ち込まれる状態を示す図である。
【図９】この発明の実施の形態２におけるエレベーターの保護番線固定具による保護番線の固定状態をブラケットの前面の側から見た際の斜視図である。
【図１０】この発明の実施の形態２におけるエレベーターの保護番線固定具による保護番線の固定状態をブラケットの後面の側から見た際の斜視図である。
【図１１】この発明の実施の形態３におけるエレベーターの保護番線固定具による保護番線の固定状態をブラケットの上面の側から見た際の斜視図である。
【図１２】この発明の実施の形態３におけるエレベーターの保護番線固定具による保護番線の固定状態をブラケットの下面の側から見た際の斜視図である。
【図１３】この発明の実施の形態３におけるエレベーターの保護番線固定具の斜視図である。
【図１４】この発明の実施の形態３におけるエレベーターの保護番線固定具の平面図である。
【図１５】この発明の実施の形態３におけるエレベーターの保護番線固定具の正面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１はこの発明の実施の形態１におけるエレベーターの保護番線固定具が適用されるかご側ガイドレールの斜視図である。
【００１１】
図１において、複数のベースプレート１は、図示されない昇降路の壁面に予め設定された間隔で鉛直方向に並んで固定される。複数のブラケット２の各々は、複数のベースプレート１の各々に対応して設けられる。
【００１２】
複数のクリップ３は、対となって複数のブラケット２の各々に対応して設けられる。複数のボルト４の各々と複数のナット５の各々とは、複数のクリップ３の各々に対応して設けられる。複数のボルト４の各々と複数のナット５の各々とは、複数のクリップ３の各々を複数のブラケット２の各々に固定する。
【００１３】
かご側ガイドレール６は、芯出しした状態で複数のクリップ３によってブラケット２に固定される。その後、図示されない昇降路機器が昇降路の内部に取り付けられる。その後、図示されない制御ケーブル等の長尺物がブラケット２の裏側に回り込まないように保護番線７が保護番線固定具８によりブラケット２に取り付けられる。この際、保護番線固定具８は、ブラケット２の角部に位置決めされた状態で固定される。
【００１４】
次に、図２から図５を用いて、保護番線７の固定状態を説明する。
図２はこの発明の実施の形態１におけるエレベーターの保護番線固定具による保護番線の固定状態をブラケットの前面の側から見た際の正面図である。図３はこの発明の実施の形態１におけるエレベーターの保護番線固定具による保護番線の固定状態をブラケットの後面の側から見た際の正面図である。図４はこの発明の実施の形態１におけるエレベーターの保護番線固定具による保護番線の固定状態をブラケットの下面の側から見た際の平面図である。図５はこの発明の実施の形態１におけるエレベーターの保護番線固定具による保護番線の固定状態をブラケットの上面の側から見た際の平面図である。なお、図４と図５とにおいては、ブラケット２は図示されない。
【００１５】
図２から図５において、保護番線固定具８は、板状の金属を折り曲げることにより一体形成される。保護番線固定具８は、磁性を持つ。例えば、保護番線固定具８は、保持部９と固定部１０と遮蔽部１１と位置決め部１２とを備える。
【００１６】
保持部９は、保護番線７を保持する。具体的には、保持部９は、半円状の溝を有する。当該溝は、保護番線７がブラケット２の縁部の側に配置された際にブラケット２の縁部に沿って保護番線７を受け入れる。
【００１７】
固定部１０は、保持部９の一縁部に連結される。固定部１０は、ブラケット２の一面の側に配置される。固定部１０は、ブラケット２の一面に鋲打機を用いて鋲１３で固定される。具体的には、固定部１０は、本体片１０ａと補助片１０ｂとを備える。本体片１０ａは、保持部９の上部に連結する。本体片１０ａは、平面状に形成される。本体片１０ａは、ブラケット２の前面に鋲１３で固定される。補助片１０ｂは、保持部９の下部に連結する。補助片１０ｂは、平面状に形成される。
【００１８】
遮蔽部１１は、保持部９の他縁部に連結する。遮蔽部１１は、ブラケット２の一面の反対側の他面に配置される。遮蔽部１１は、ブラケット２の他面においてブラケット２を貫通した鋲１３の先端部を外部から遮蔽する。具体的には、遮蔽部１１は、本体片１１ａと補助片１１ｂとを備える。本体片１１ａは、保持部９の上部に連結する。本体片１１ａは、平面状に形成される。本体片１１ａは、ブラケット２の後面の側に突き出した鋲１３の先端部をブラケット２の後面の外側から遮蔽する。補助片１１ｂは、保持部９の下部に連結する。補助片１１ｂは、平面状に形成される。
【００１９】
位置決め部１２は、固定部１０の本体片１０ａの上縁部に連結する。位置決め部１２は、ブラケット２の上縁部に接触する。
【００２０】
次に、図６と図７とを用いて、保護番線７の固定状態の変形例を説明する。
図６はこの発明の実施の形態１におけるエレベーターの保護番線固定具による保護番線の固定状態をブラケットの上面の側から見た際の平面図である。図７はこの発明の実施の形態１におけるエレベーターの保護番線固定具による保護番線の固定状態をブラケットの下面の側から見た際の平面図である。
【００２１】
図６と図７とに示されるように、保護番線７は、ブラケット２の縁部と直交した状態に配置される。この状態において、保護番線７は、保護番線固定具８によりブラケット２に取り付けられる。
【００２２】
この際、保護番線７は、ブラケット２の縁部と保持部９とにより図６と図７との左右方向の移動を抑制される。保護番線７は、ブラケット２の上面の側において固定部１０の本体片１０ａと補助片１０ｂとにより図６の上下方向の移動を抑制される。保護番線７はブラケット２の下面の側において遮蔽部１１の本体片１１ａと補助片１１ｂとにより図７の上下方向の移動を抑制される。
【００２３】
次に、図８を用いて、鋲１３による固定部１０の固定方法を説明する。
図８は図２のＡ−Ａ線における断面において鋲が打ち込まれる状態を示す図である。
【００２４】
図８に示されるように、固定部１０の本体片１０ａは、突起１４を備える。突起１４は、本体片１０ａの貫通穴の縁部を反らせることにより形成される。
【００２５】
鋲打機の先端部１５は、筒状に形成される。鋲打機の先端部１５の内周部は、固定部の突起１４の外側に嵌められる。この状態において、鋲１３が打ち込まれる。その結果、鋲１３の先端部は、本体片１０ａの貫通穴を通過してブラケット２に打ち込まれる。
【００２６】
以上で説明した実施の形態１によれば、保護番線固定具８は、保護番線７を保持した状態で鋲１３によりブラケット２に固定される。このため、保護番線７を効率よくブラケット２に固定することができる。
【００２７】
具体的には、保護番線７は、ブラケット２の縁部の側に配置された際にブラケット２の縁部に沿って保護番線固定具８により保持された状態でブラケット２に固定される。このため、保護番線７を効率よくブラケット２の縁部の側に固定することができる。
【００２８】
この際、ブラケット２の角部にバインド線取付穴をあけてバインド線により保護番線７を固定する必要はない。このため、エレベーターの更新の際、ブラケット２の角部にバインド線取付穴をあける必要はない。その結果、エレベーターの更新の際の作業時間を大幅に短くすることができる。
【００２９】
例えば、２０段のブラケット２の各々に８箇所のバインド線取付穴をあける必要があるとする。１つのバインド線取付穴をあける作業に５分かかるとする。この場合、８００分の作業時間がかかる。これに対し、保護番線固定具８を用いれば、当該作業時間は、不要となる。その結果、８００分の作業時間をなくすことができる。
【００３０】
また、保護番線７は、ブラケット２の縁部と直交した状態に配置された際にブラケット２の縁部と直交した状態でブラケット２に固定されることもある。このため、保護番線７を効率よくブラケット２の縁部に直交した状態で固定することもできる。
【００３１】
また、保護番線固定具８は、磁性を持つ。このため、保護番線固定具８は、ブラケット２に吸着する。その結果、鋲１３が打ち込まれる前でも、ブラケット２に対する保護番線固定具８の位置決めを容易に行うことができる。
【００３２】
実施の形態２．
図９はこの発明の実施の形態２におけるエレベーターの保護番線固定具による保護番線の固定状態をブラケットの前面の側から見た際の斜視図である。図１０はこの発明の実施の形態１におけるエレベーターの保護番線固定具による保護番線の固定状態をブラケットの後面の側から見た際の斜視図である。なお、実施の形態１と同一または相当部分には、同一符号が付される。当該部分の説明は省略される。
【００３３】
実施の形態２の保護番線固定具８も、実施の形態１の保護番線固定具８と同様に、保持部９と固定部１０と遮蔽部１１とを備える。
【００３４】
保持部９は、保護番線７を保持する。具体的には、保持部９は、半円状の溝を有する。当該溝は、保護番線７がブラケット２の前面の側に配置された際にブラケット２の前面の側において保護番線７を受け入れる。
【００３５】
固定部１０は、保持部９に連結される。固定部１０は、ブラケット２の一面に鋲打機を用いて鋲１３で固定される。具体的には、固定部１０は、ブラケット２の前面の側において保持部９のブラケット２の中央の側に連結する。固定部１０は、平面状に形成される。固定部１０は、ブラケット２の前面に鋲１３で固定される。
【００３６】
遮蔽部１１は、保持部９に連結する。遮蔽部１１は、ブラケット２の他面においてブラケット２を貫通した鋲１３の先端部を外部から遮蔽する。具体的には、遮蔽部１１は、ブラケット２の前面の側においてブラケット２の縁部の側に連結する。遮蔽部１１は、ブラケット２の縁部の外側からブラケット２の後面の側に回り込む。遮蔽部１１は、ブラケット２の後面の側に突き出した鋲１３の先端部をブラケット２の後面の外側から遮蔽する。
【００３７】
以上で説明した実施の形態２によれば、実施の形態１と同様に、保護番線固定具８は、保護番線７を保持した状態で鋲１３によりブラケット２に固定される。このため、保護番線７を効率よくブラケット２に固定することができる。
【００３８】
具体的には、保護番線７は、ブラケット２の前面の側に配置された際にブラケット２の前面の側において保護番線固定具８により保持された状態でブラケット２に固定される。このため、保護番線７を効率よくブラケット２の前面の側に固定することができる。
【００３９】
実施の形態３．
図１１はこの発明の実施の形態３におけるエレベーターの保護番線固定具による保護番線の固定状態をブラケットの上面の側から見た際の斜視図である。図１２はこの発明の実施の形態３におけるエレベーターの保護番線固定具による保護番線の固定状態をブラケットの下面の側から見た際の斜視図である。図１３はこの発明の実施の形態３におけるエレベーターの保護番線固定具の斜視図である。図１４はこの発明の実施の形態３におけるエレベーターの保護番線固定具の平面図である。図１５はこの発明の実施の形態３におけるエレベーターの保護番線固定具の正面図である。なお、実施の形態１と同一または相当部分には、同一符号が付される。当該部分の説明は省略される。
【００４０】
実施の形態３の保護番線固定具８も、実施の形態１の保護番線固定具８と同様に、保持部９と固定部１０と遮蔽部１１とを備える。
【００４１】
保持部９は、保護番線７を保持する。具体的には、保持部９は、円弧状の溝を有する。溝は、保護番線７がブラケット２の縁部の側に配置された際にブラケット２の縁部の側において保護番線７を受け入れる。
【００４２】
固定部１０は、保持部９に連結される。固定部１０は、ブラケット２の一面に鋲打機を用いて鋲１３で固定される。具体的には、固定部１０は、ブラケット２の上面の側かつ縁部の側において保持部９の一端部の側に連結する。図１３に示されるように、固定部１０は、一対の連結片１０ｃと固定片１０ｄとを備える。一対の連結片１０ｃは、保持部９の一端部の両側から外側に広がる。固定片１０ｄは、保持部９の一側の連結片１０ｃから保持部９の溝の開口部の側に折り曲げられる。図示されないが、固定片１０ｄは、ブラケット２の上面に鋲１３で固定される。
【００４３】
遮蔽部１１は、保持部９に連結する。遮蔽部１１は、ブラケット２の他面においてブラケット２を貫通した鋲１３の先端部を外部から遮蔽する。具体的には、遮蔽部１１は、ブラケット２の下面の側かつ縁部の側において保持部９の他端部の側に連結する。図１３に示されるように、遮蔽部１１は、一対の連結片１１ｃと遮蔽片１１ｄとを備える。一対の連結片１１ｃは、保持部９の他端部の両側から外側に広がる。遮蔽片１１ｄは、保持部９の他側の連結片１１ｃから保持部９の溝の開口部の側に折り曲げられる。遮蔽片１１ｄの中心は、保持部９の溝に沿った方向から見た際に固定片１０ｄの中心と重なる。図示されないが、遮蔽片１１ｄは、鋲１３の先端部をブラケット２の下面の外側から遮蔽する。
【００４４】
以上で説明した実施の形態３によれば、実施の形態１と同様に、保護番線固定具８は、保護番線７を保持した状態で鋲１３によりブラケット２に固定される。このため、保護番線７を効率よくブラケット２に固定することができる。
【００４５】
具体的には、保護番線７は、ブラケット２の縁部の側に配置された際にブラケット２の縁部の側において保護番線固定具８により保持された状態でブラケット２に固定される。このため、保護番線７を効率よくブラケット２の縁部の側に固定することができる。
【００４６】
なお、かご側ガイドレール６に対応したブラケット２以外のブラケットに保護番線固定具８を適用してもよい。例えば、釣合オモリ側ガイドレールに対応したブラケットに保護番線固定具８を適用してもよい。この場合も、保護番線７を効率よくブラケット２に固定することができる。
【符号の説明】
【００４７】
１  ベースプレート、  ２  ブラケット、  ３  クリップ、  ４  ボルト、  ５  ナット、  ６  かご側ガイドレール、  ７  保護番線、  ８  保護番線固定具、  ９  保持部、  １０  固定部、  １０ａ  本体片、  １０ｂ  補助片、  １０ｃ  連結片、  １０ｄ  固定片、  １１  遮蔽部、  １１ａ  本体片、  １１ｂ  補助片、１１ｃ  連結片、  １１ｄ  遮蔽片、  １２  位置決め部、  １３  鋲、  １４  突起、  １５  先端部
【図１】
2018203435.tif 000003
【図２】
2018203435.tif 000004
【図３】
2018203435.tif 000005
【図４】
2018203435.tif 000006
【図５】
2018203435.tif 000007
【図６】
2018203435.tif 000008
【図７】
2018203435.tif 000009
【図８】
2018203435.tif 000010
【図９】
2018203435.tif 000011
【図１０】
2018203435.tif 000012
【図１１】
2018203435.tif 000013
【図１２】
2018203435.tif 000014
【図１３】
2018203435.tif 000015
【図１４】
2018203435.tif 000016
【図１５】
2018203435.tif 000017
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
エレベーターの保護番線を保持する保持部と、
前記保持部に連結し、前記エレベーターのブラケットの一面に鋲で固定される固定部と、
前記保持部に一体となって形成され、前記ブラケットの前記一面の反対側の他面の側において前記鋲の先端部を外部から遮蔽する遮蔽部と、
を備えたエレベーターの保護番線固定具。
【請求項２】
エレベーターの保護番線を保持する保持部と、
前記保持部に連結し、前記エレベーターのブラケットの一面に鋲で固定される固定部と、
前記保持部に連結し、前記ブラケットの前記一面の反対側の他面の側において前記鋲の先端部を外部から遮蔽する遮蔽部と、
を備え、
前記保持部は、前記保護番線が前記ブラケットの縁部の側に配置された際に前記ブラケットの縁部の側において前記保護番線を受け入れる溝を有し、
前記固定部は、前記保持部の一縁部に連結し、
前記遮蔽部は、前記保持部の他縁部に連結し、前記鋲の先端部をブラケットの他面の外側から遮蔽するエレベーターの保護番線固定具。
【請求項３】
エレベーターの保護番線を保持する保持部と、
前記保持部に連結し、前記エレベーターのブラケットの一面に鋲で固定される固定部と、
前記保持部に連結し、前記ブラケットの前記一面の反対側の他面の側において前記鋲の先端部を外部から遮蔽する遮蔽部と、
を備え、
前記保持部は、前記保護番線が前記ブラケットの前記一面の側に配置された際に前記ブラケットの前記一面の側において前記保護番線を受け入れる溝を有し、
前記固定部は、前記ブラケットの前記一面の側において前記保持部の前記ブラケットの中央の側に連結し、
前記遮蔽部は、前記ブラケットの前記一面の側において前記ブラケットの縁部の側に連結し、当該縁部の外側から前記ブラケットの前記他面の側に回り込み、前記鋲の先端部をブラケットの他面の外側から遮蔽するエレベーターの保護番線固定具。
【請求項４】
エレベーターの保護番線を保持する保持部と、
前記保持部に連結し、前記エレベーターのブラケットの一面に鋲で固定される固定部と、
前記保持部に連結し、前記ブラケットの前記一面の反対側の他面の側において前記鋲の先端部を外部から遮蔽する遮蔽部と、
を備え、
前記保持部は、前記保護番線が前記ブラケットの縁部の側に配置された際に前記ブラケットの前記縁部の側において前記保護番線を受け入れる溝を有し、
前記固定部は、前記ブラケットの前記一面の側かつ前記縁部の側において前記保持部の一端部の側に連結し、
前記遮蔽部は、前記ブラケットの前記他面の側かつ前記縁部の側において前記保持部の他端部の側に連結し、前記鋲の先端部をブラケットの他面の外側から遮蔽するエレベーターの保護番線固定具。
【手続補正２】
【補正対象書類名】明細書
【補正対象項目名】０００６
【補正方法】変更
【補正の内容】
【０００６】
この発明に係るエレベーターの保護番線固定具は、エレベーターの保護番線を保持する保持部と、前記保持部に連結し、前記エレベーターのブラケットの一面に鋲で固定される固定部と、前記保持部に一体となって形成され、前記ブラケットの前記一面の反対側の他面の側において前記鋲の先端部を外部から遮蔽する遮蔽部と、を備えた。
この発明に係るエレベーターの保護番線固定具は、エレベーターの保護番線を保持する保持部と、前記保持部に連結し、前記エレベーターのブラケットの一面に鋲で固定される固定部と、前記保持部に連結し、前記ブラケットの前記一面の反対側の他面の側において前記鋲の先端部を外部から遮蔽する遮蔽部と、を備え、前記保持部は、前記保護番線が前記ブラケットの縁部の側に配置された際に前記ブラケットの縁部の側において前記保護番線を受け入れる溝を有し、前記固定部は、前記保持部の一縁部に連結し、前記遮蔽部は、前記保持部の他縁部に連結し、前記鋲の先端部をブラケットの他面の外側から遮蔽する。
この発明に係るエレベーターの保護番線固定具は、エレベーターの保護番線を保持する保持部と、前記保持部に連結し、前記エレベーターのブラケットの一面に鋲で固定される固定部と、前記保持部に連結し、前記ブラケットの前記一面の反対側の他面の側において前記鋲の先端部を外部から遮蔽する遮蔽部と、を備え、前記保持部は、前記保護番線が前記ブラケットの前記一面の側に配置された際に前記ブラケットの前記一面の側において前記保護番線を受け入れる溝を有し、前記固定部は、前記ブラケットの前記一面の側において前記保持部の前記ブラケットの中央の側に連結し、前記遮蔽部は、前記ブラケットの前記一面の側において前記ブラケットの縁部の側に連結し、当該縁部の外側から前記ブラケットの前記他面の側に回り込み、前記鋲の先端部をブラケットの他面の外側から遮蔽する。
この発明に係るエレベーターの保護番線固定具は、エレベーターの保護番線を保持する保持部と、前記保持部に連結し、前記エレベーターのブラケットの一面に鋲で固定される固定部と、前記保持部に連結し、前記ブラケットの前記一面の反対側の他面の側において前記鋲の先端部を外部から遮蔽する遮蔽部と、を備え、前記保持部は、前記保護番線が前記ブラケットの縁部の側に配置された際に前記ブラケットの前記縁部の側において前記保護番線を受け入れる溝を有し、前記固定部は、前記ブラケットの前記一面の側かつ前記縁部の側において前記保持部の一端部の側に連結し、前記遮蔽部は、前記ブラケットの前記他面の側かつ前記縁部の側において前記保持部の他端部の側に連結し、前記鋲の先端部をブラケットの他面の外側から遮蔽する。